(57)【要約】【課題】機械的強度や耐久性に優れた絶縁性樹脂膜が得ることができる絶縁性ペーストを提供する。【解決手段】本発明の絶縁性ペーストは、シリカ粒子（Ｃ）を含有するエラストマー組成物と、溶剤と、を含む。【選択図】図１
2020079413.tif 000002
【特許請求の範囲】
【請求項１】
シリカ粒子（Ｃ）を含有するエラストマー組成物と、
溶剤と、を含む、絶縁性ペースト。
【請求項２】
請求項１に記載の絶縁性ペーストであって、
前記エラストマー組成物が、シリコーンゴム、ウレタンゴム、フッ素ゴムからなる群から選択される一種以上のエラストマーを形成するための熱硬化性エラストマー組成物を含む、絶縁性ペースト。
【請求項３】
請求項１または２に記載の絶縁性ペーストであって、
伸縮性配線基板を構成する基板を形成するために用いられる、絶縁性ペースト。
【請求項４】
請求項１から３のいずれか１項に記載の絶縁性ペーストであって、
前記溶剤が、沸点が１００℃以上３００℃以下である高沸点溶剤を含む、絶縁性ペースト。
【請求項５】
請求項１から４のいずれか１項に記載の絶縁性ペーストであって、
前記溶剤が、炭素数５以上２０以下の脂肪族炭化水素を含む、絶縁性ペースト。
【請求項６】
請求項１から５のいずれか１項に記載の絶縁性ペーストであって、
前記溶剤が、ハンセン溶解度パラメータの極性項（δｐ）が１０ＭＰａ１／２以下である第１溶剤を含む、絶縁性ペースト。
【請求項７】
請求項１から６のいずれか１項に記載の絶縁性ペーストであって、
室温２５℃における、当該絶縁性ペーストの粘度が、１Ｐａ・ｓ以上１００Ｐａ・ｓ以下である、絶縁性ペースト。
【請求項８】
請求項１から７のいずれか１項に記載の絶縁性ペーストであって、
室温２５℃における当該絶縁性ペーストについて、せん断速度１〔１／ｓ〕で測定した時の粘度をη１とし、せん断速度５〔１／ｓ〕で測定した時の粘度をη５としたとき、粘度比（η１／η５）であるチキソ指数が、１．０以上３．０以下である、絶縁性ペースト。
【請求項９】
請求項１から８のいずれか１項に記載の絶縁性ペーストであって、
前記シリカ粒子（Ｃ）の含有量が、当該絶縁性ペースト全体に対して、１質量％以上５０質量％以下である、絶縁性ペースト。
【請求項１０】
請求項１から９のいずれか１項に記載の絶縁性ペーストであって、
前記エラストマー組成物が、シリコーンゴム系硬化性組成物を含む、絶縁性ペースト。
【請求項１１】
請求項１０に記載の絶縁性ペーストであって、
前記シリコーンゴム系硬化性組成物が、ビニル基含有オルガノポリシロキサン（Ａ）を含む、絶縁性ペースト。
【請求項１２】
請求項１０または１１に記載の絶縁性ペーストであって、
前記シリコーンゴム系硬化性組成物が、オルガノハイドロジェンポリシロキサン（Ｂ）をさらに含む、絶縁性ペースト。
【請求項１３】
請求項１０から１２のいずれか１項に記載の絶縁性ペーストであって、
前記シリコーンゴム系硬化性組成物が、白金または白金化合物（Ｅ）をさらに含む、絶縁性ペースト。
【請求項１４】
請求項１から１３のいずれか１項に記載の絶縁性ペーストであって、
前記エラストマー組成物の含有量が、当該絶縁性ペースト全体に対して、５質量％以上５０質量％以下である、絶縁性ペースト。
【請求項１５】
請求項１から１４のいずれか１項に記載の絶縁性ペーストであって、
当該絶縁性ペーストからなるエラストマーの、ＪＩＳ  Ｋ６２５３（１９９７）に準拠して規定されるデュロメータ硬さＡが、１０以上７０以下である、絶縁性ペースト。
【請求項１６】
請求項１から１５のいずれか１項に記載の絶縁性ペーストであって、
当該絶縁性ペーストからなるエラストマーの、ＪＩＳ  Ｋ６２５１（２００４）に準拠して測定される引張強度が、５．０ＭＰａ以上１５ＭＰａ以下である、絶縁性ペースト。
【請求項１７】
請求項１から１６のいずれか１項に記載の絶縁性ペーストであって、
当該絶縁性ペーストからなるエラストマーの、ＪＩＳ  Ｋ６２５２（２００１）に準拠して測定される引裂強度が、２５Ｎ／ｍｍ以上である、絶縁性ペースト。
【発明の詳細な説明】
【技術分野】
【０００１】
本発明は、絶縁性ペーストに関する。
【背景技術】
【０００２】
近年、伸縮性配線基板を構成する基板に用いる材料について様々な開発がなされている。この種の技術としては、例えば、特許文献１に記載の技術が知られている。同文献によれば、エラストマー基材１１の作製方法として、シリコーンゴムポリマーと加工助剤と架橋剤を混練した混練物を、１５０℃で５分間遠赤外線加熱することにより、シリコーンゴムを得た、と記載されている（特許文献１の段落００３７）。
【先行技術文献】
【特許文献】
【０００３】
【特許文献１】特開２０１５−５５６１５号公報
【発明の概要】
【発明が解決しようとする課題】
【０００４】
しかしながら、本発明者が検討したところ、上記文献に記載のシリコーンゴムに用いる混練物において、機械的強度や耐久性の点で、改善の余地を有していることが判明した。
【課題を解決するための手段】
【０００５】
本発明者はさらに検討したところ、エラストマー組成物および溶剤を含む絶縁性ペーストに対して、さらにシリカ粒子を加えることにより、このような絶縁性ペーストを用いた基板などの絶縁性樹脂膜において、機械的強度や耐久性を向上できることを見出し、本発明を完成するに至った。
【０００６】
本発明によれば、
シリカ粒子（Ｃ）を含有するエラストマー組成物と、
溶剤と、を含む、絶縁性ペーストが提供される。
【発明の効果】
【０００７】
本発明によれば、機械的強度や耐久性に優れた絶縁性ペーストを提供できる。
【図面の簡単な説明】
【０００８】
【図１】本実施形態における電子装置の概略を示す断面図である。
【図２】本実施形態における電子装置の製造工程の概略を示す断面図である。
【発明を実施するための形態】
【０００９】
以下、本発明の実施の形態について、図面を用いて説明する。なお、すべての図面において、同様な構成要素には同様の符号を付し、適宜説明を省略する。また、本明細書中において、「〜」は特に断りがなければ以上から以下を表す。
【００１０】
本実施形態の絶縁性ペーストの概要について説明する。
本実施形態の絶縁性ペーストは、シリカ粒子（Ｃ）を含有するエラストマー組成物と、溶剤と、を含むことができる。
【００１１】
本実施形態の絶縁性ペーストは、溶剤を含むペースト状の絶縁性樹脂組成物で構成されているため、支持基材上に対する塗布性や成膜性に優れている。この絶縁性ペーストは、シリカ粒子（Ｃ）を含有するため、当該絶縁性ペーストの硬化物等で構成されるエラストマーの機械的強度および耐久性を高めることができる。このよう絶縁性ペーストからなるエラストマーを、伸縮性配線基板を構成する絶縁性樹脂膜に適用することにより、その絶縁性樹脂膜の機械的強度や耐久性を向上させることができる。これにより、本実施形態の絶縁性ペーストは、例えば、伸縮性配線基板を構成する基板を形成する用途に適することができる。
【００１２】
以下、本実施形態の絶縁性ペーストの各成分について説明する。
【００１３】
本実施形態の絶縁性ペーストは、エラストマー組成物を含むことがきる。これにより、絶縁性ペーストからなるエラストマーを伸縮性基板などに利用した際も、当該エラストマーに対して適度な伸縮性を発現することができる。また、本実施形態の絶縁性ペーストは、シリカ粒子（Ｃ）を含有することができる。これにより、絶縁性ペーストからなるエラストマーの機械的強度を向上させることができる。
【００１４】
エラストマー組成物は、エラストマーを形成するために用いるものであり、例えば、シリコーンゴム、ウレタンゴム、フッ素ゴムからなる群から選択される一種以上の熱硬化性エラストマーを形成するために用いる熱硬化性エラストマー組成物を含むことができ、好ましくは、シリコーンゴム系硬化性組成物を含むことができる。
【００１５】
上記エラストマーとしては、シリコーンゴム、ウレタンゴム、フッ素ゴム、ニトリルゴム、アクリルゴム、スチレンゴム、クロロプレンゴム、エチレンプロピレンゴム等を用いることができる。この中でも、エラストマーは、シリコーンゴム、ウレタンゴム、フッ素ゴムからなる群から選択される一種以上の熱硬化性エラストマーを含むことができる。また、エラストマーは、化学的に安定であり、また、機械的強度にも優れる観点からシリコーンゴムを含むことができる。
上記熱硬化性エラストマーは、熱硬化性エラストマー組成物の硬化物で構成することができる。例えば、上記シリコーンゴムは、シリコーンゴム系硬化性組成物の硬化物で構成することができる。なお熱可塑性エラストマーは、熱可塑性エラストマーの乾燥物で構成することができる。本明細書中、絶縁性ペーストのエラストマーとは、絶縁性ペーストを乾燥または硬化して形成されたエラストマーを意味するものとする。
【００１６】
以下、本実施形態のエラストマーの一例であるシリコーンゴムとして、シリコーンゴム系硬化性組成物を用いた場合について説明する。
【００１７】
本実施形態のシリコーンゴム系硬化性組成物は、ビニル基含有オルガノポリシロキサン（Ａ）を含むことができる。ビニル基含有オルガノポリシロキサン（Ａ）は、本実施形態のシリコーンゴム系硬化性組成物の主成分となる重合物である。
【００１８】
上記ビニル基含有オルガノポリシロキサン（Ａ）は、直鎖構造を有するビニル基含有直鎖状オルガノポリシロキサン（Ａ１）を含むことができる。
【００１９】
上記ビニル基含有直鎖状オルガノポリシロキサン（Ａ１）は、直鎖構造を有し、かつ、ビニル基を含有しており、かかるビニル基が硬化時の架橋点となる。
【００２０】
ビニル基含有直鎖状オルガノポリシロキサン（Ａ１）のビニル基の含有量は、特に限定されないが、例えば、分子内に２個以上のビニル基を有し、かつ１５モル％以下であるのが好ましく、０．０１〜１２モル％であるのがより好ましい。これにより、ビニル基含有直鎖状オルガノポリシロキサン（Ａ１）中におけるビニル基の量が最適化され、後述する各成分とのネットワークの形成を確実に行うことができる。本実施形態において、「〜」は、その両端の数値を含むことを意味する。
【００２１】
なお、本明細書中において、ビニル基含有量とは、ビニル基含有直鎖状オルガノポリシロキサン（Ａ１）を構成する全ユニットを１００モル％としたときのビニル基含有シロキサンユニットのモル％である。ただし、ビニル基含有シロキサンユニット１つに対して、ビニル基１つであると考える。
【００２２】
また、ビニル基含有直鎖状オルガノポリシロキサン（Ａ１）の重合度は、特に限定されないが、例えば、好ましくは１０００〜１００００程度、より好ましくは２０００〜５０００程度の範囲内である。なお、重合度は、例えばクロロホルムを展開溶媒としたＧＰＣ（ゲル透過クロマトグラフィー）におけるポリスチレン換算の数平均重合度（又は数平均分子量）等として求めることができる。
【００２３】
さらに、ビニル基含有直鎖状オルガノポリシロキサン（Ａ１）の比重は、特に限定されないが、０．９〜１．１程度の範囲であるのが好ましい。
【００２４】
ビニル基含有直鎖状オルガノポリシロキサン（Ａ１）として、上記のような範囲内の重合度および比重を有するものを用いることにより、得られるシリコーンゴムの耐熱性、難燃性、化学的安定性等の向上を図ることができる。
【００２５】
ビニル基含有直鎖状オルガノポリシロキサン（Ａ１）としては、特に、下記式（１）で表される構造を有するものであるが好ましい。
【００２６】
【化１】
2020079413.tif 000003
【００２７】
式（１）中、Ｒ１は炭素数１〜１０の置換または非置換のアルキル基、アルケニル基、アリール基、またはこれらを組み合わせた炭化水素基である。炭素数１〜１０のアルキル基としては、例えば、メチル基、エチル基、プロピル基等が挙げられ、中でも、メチル基が好ましい。炭素数１〜１０のアルケニル基としては、例えば、ビニル基、アリル基、ブテニル基等が挙げられ、中でも、ビニル基が好ましい。炭素数１〜１０のアリール基としては、例えば、フェニル基等が挙げられる。
【００２８】
また、Ｒ２は炭素数１〜１０の置換または非置換のアルキル基、アルケニル基、アリール基、またはこれらを組み合わせた炭化水素基である。炭素数１〜１０のアルキル基としては、例えば、メチル基、エチル基、プロピル基等が挙げられ、中でも、メチル基が好ましい。炭素数１〜１０のアルケニル基としては、例えば、ビニル基、アリル基、ブテニル基が挙げられる。炭素数１〜１０のアリール基としては、例えば、フェニル基が挙げられる。
【００２９】
また、Ｒ３は炭素数１〜８の置換または非置換のアルキル基、アリール基、またはこれらを組み合わせた炭化水素基である。炭素数１〜８のアルキル基としては、例えば、メチル基、エチル基、プロピル基等が挙げられ、中でも、メチル基が好ましい。炭素数１〜８のアリール基としては、例えば、フェニル基が挙げられる。
【００３０】
さらに、式（１）中のＲ１およびＲ２の置換基としては、例えば、メチル基、ビニル基等が挙げられ、Ｒ３の置換基としては、例えば、メチル基等が挙げられる。
【００３１】
なお、式（１）中、複数のＲ１は互いに独立したものであり、互いに異なっていてもよいし、同じであってもよい。さらに、Ｒ２、およびＲ３についても同様である。
【００３２】
さらに、ｍ、ｎは、式（１）で表されるビニル基含有直鎖状オルガノポリシロキサン（Ａ１）を構成する繰り返し単位の数であり、ｍは０〜２０００の整数、ｎは１０００〜１００００の整数である。ｍは、好ましくは０〜１０００であり、ｎは、好ましくは２０００〜５０００である。
【００３３】
また、式（１）で表されるビニル基含有直鎖状オルガノポリシロキサン（Ａ１）の具体的構造としては、例えば下記式（１−１）で表されるものが挙げられる。
【００３４】
【化２】
2020079413.tif 000004
【００３５】
式（１−１）中、Ｒ１およびＲ２は、それぞれ独立して、メチル基またはビニル基であり、少なくとも一方がビニル基である。
【００３６】
さらに、ビニル基含有直鎖状オルガノポリシロキサン（Ａ１）としては、ビニル基含有量が分子内に２個以上のビニル基を有し、かつ０．４モル％以下である第１のビニル基含有直鎖状オルガノポリシロキサン（Ａ１−１）と、ビニル基含有量が０．５〜１５モル％である第２のビニル基含有直鎖状オルガノポリシロキサン（Ａ１−２）とを含有するものであるのが好ましい。シリコーンゴムの原料である生ゴムとして、一般的なビニル基含有量を有する第１のビニル基含有直鎖状オルガノポリシロキサン（Ａ１−１）と、ビニル基含有量が高い第２のビニル基含有直鎖状オルガノポリシロキサン（Ａ１−２）とを組み合わせることで、ビニル基を偏在化させることができ、シリコーンゴムの架橋ネットワーク中に、より効果的に架橋密度の疎密を形成することができる。その結果、より効果的にシリコーンゴムの引裂強度を高めることができる。
【００３７】
具体的には、ビニル基含有直鎖状オルガノポリシロキサン（Ａ１）として、例えば、上記式（１−１）において、Ｒ１がビニル基である単位および／またはＲ２がビニル基である単位を、分子内に２個以上有し、かつ０．４モル％以下を含む第１のビニル基含有直鎖状オルガノポリシロキサン（Ａ１−１）と、Ｒ１がビニル基である単位および／またはＲ２がビニル基である単位を、０．５〜１５モル％含む第２のビニル基含有直鎖状オルガノポリシロキサン（Ａ１−２）とを用いるのが好ましい。
【００３８】
また、第１のビニル基含有直鎖状オルガノポリシロキサン（Ａ１−１）は、ビニル基含有量が０．０１〜０．２モル％であるのが好ましい。また、第２のビニル基含有直鎖状オルガノポリシロキサン（Ａ１−２）は、ビニル基含有量が、０．８〜１２モル％であるのが好ましい。
【００３９】
さらに、第１のビニル基含有直鎖状オルガノポリシロキサン（Ａ１−１）と第２のビニル基含有直鎖状オルガノポリシロキサン（Ａ１−２）とを組み合わせて配合する場合、（Ａ１−１）と（Ａ１−２）の比率は特に限定されないが、例えば、重量比で（Ａ１−１）：（Ａ１−２）が５０：５０〜９５：５であるのが好ましく、８０：２０〜９０：１０であるのがより好ましい。
【００４０】
なお、第１および第２のビニル基含有直鎖状オルガノポリシロキサン（Ａ１−１）および（Ａ１−２）は、それぞれ１種のみを用いてもよいし、２種以上を組み合わせて用いてもよい。
【００４１】
また、ビニル基含有オルガノポリシロキサン（Ａ）は、分岐構造を有するビニル基含有分岐状オルガノポリシロキサン（Ａ２）を含んでもよい。
【００４２】
＜＜オルガノハイドロジェンポリシロキサン（Ｂ）＞＞
本実施形態のシリコーンゴム系硬化性組成物は、オルガノハイドロジェンポリシロキサン（Ｂ）を含むことができる。
オルガノハイドロジェンポリシロキサン（Ｂ）は、直鎖構造を有する直鎖状オルガノハイドロジェンポリシロキサン（Ｂ１）と分岐構造を有する分岐状オルガノハイドロジェンポリシロキサン（Ｂ２）とに分類され、これらのうちのいずれか一方または双方を含むことができる。
【００４３】
直鎖状オルガノハイドロジェンポリシロキサン（Ｂ１）は、直鎖構造を有し、かつ、Ｓｉに水素が直接結合した構造（≡Ｓｉ−Ｈ）を有し、ビニル基含有オルガノポリシロキサン（Ａ）のビニル基の他、シリコーンゴム系硬化性組成物に配合される成分が有するビニル基とヒドロシリル化反応し、これらの成分を架橋する重合体である。
【００４４】
直鎖状オルガノハイドロジェンポリシロキサン（Ｂ１）の分子量は特に限定されないが、例えば、重量平均分子量が２００００以下であるのが好ましく、１０００以上、１００００以下であることがより好ましい。
【００４５】
なお、直鎖状オルガノハイドロジェンポリシロキサン（Ｂ１）の重量平均分子量は、例えばクロロホルムを展開溶媒としたＧＰＣ（ゲル透過クロマトグラフィー）におけるポリスチレン換算により測定することができる。
【００４６】
また、直鎖状オルガノハイドロジェンポリシロキサン（Ｂ１）は、通常、ビニル基を有しないものであるのが好ましい。これにより、直鎖状オルガノハイドロジェンポリシロキサン（Ｂ１）の分子内において架橋反応が進行するのを的確に防止することができる。
【００４７】
以上のような直鎖状オルガノハイドロジェンポリシロキサン（Ｂ１）としては、例えば、下記式（２）で表される構造を有するものが好ましく用いられる。
【００４８】
【化３】
2020079413.tif 000005
【００４９】
式（２）中、Ｒ４は炭素数１〜１０の置換または非置換のアルキル基、アルケニル基、アリール基、これらを組み合わせた炭化水素基、またはヒドリド基である。炭素数１〜１０のアルキル基としては、例えば、メチル基、エチル基、プロピル基等が挙げられ、中でも、メチル基が好ましい。炭素数１〜１０のアルケニル基としては、例えば、ビニル基、アリル基、ブテニル基等が挙げられる。炭素数１〜１０のアリール基としては、例えば、フェニル基が挙げられる。
【００５０】
また、Ｒ５は炭素数１〜１０の置換または非置換のアルキル基、アルケニル基、アリール基、これらを組み合わせた炭化水素基、またはヒドリド基である。炭素数１〜１０のアルキル基としては、例えば、メチル基、エチル基、プロピル基が挙げられ、中でも、メチル基が好ましい。炭素数１〜１０のアルケニル基としては、例えば、ビニル基、アリル基、ブテニル基等が挙げられる。炭素数１〜１０のアリール基としては、例えば、フェニル基が挙げられる。
【００５１】
なお、式（２）中、複数のＲ４は互いに独立したものであり、互いに異なっていてもよいし、同じであってもよい。Ｒ５についても同様である。ただし、複数のＲ４およびＲ５のうち、少なくとも２つ以上がヒドリド基である。
【００５２】
また、Ｒ６は炭素数１〜８の置換または非置換のアルキル基、アリール基、またはこれらを組み合わせた炭化水素基である。炭素数１〜８のアルキル基としては、例えば、メチル基、エチル基、プロピル基等が挙げられ、中でも、メチル基が好ましい。炭素数１〜８のアリール基としては、例えば、フェニル基が挙げられる。複数のＲ６は互いに独立したものであり、互いに異なっていてもよいし、同じであってもよい。
【００５３】
なお、式（２）中のＲ４，Ｒ５，Ｒ６の置換基としては、例えば、メチル基、ビニル基等が挙げられ、分子内の架橋反応を防止する観点から、メチル基が好ましい。
【００５４】
さらに、ｍ、ｎは、式（２）で表される直鎖状オルガノハイドロジェンポリシロキサン（Ｂ１）を構成する繰り返し単位の数であり、ｍは２〜１５０整数、ｎは２〜１５０の整数である。好ましくは、ｍは２〜１００の整数、ｎは２〜１００の整数である。
【００５５】
なお、直鎖状オルガノハイドロジェンポリシロキサン（Ｂ１）は、１種のみを単独で用いてもよいし、２種以上を組み合わせて用いてもよい。
【００５６】
分岐状オルガノハイドロジェンポリシロキサン（Ｂ２）は、分岐構造を有するため、架橋密度が高い領域を形成し、シリコーンゴムの系中の架橋密度の疎密構造形成に大きく寄与する成分である。また、上記直鎖状オルガノハイドロジェンポリシロキサン（Ｂ１）同様、Ｓｉに水素が直接結合した構造（≡Ｓｉ−Ｈ）を有し、ビニル基含有オルガノポリシロキサン（Ａ）のビニル基の他、シリコーンゴム系硬化性組成物に配合される成分のビニル基とヒドロシリル化反応し、これら成分を架橋する重合体である。
【００５７】
また、分岐状オルガノハイドロジェンポリシロキサン（Ｂ２）の比重は、０．９〜０．９５の範囲である。
【００５８】
さらに、分岐状オルガノハイドロジェンポリシロキサン（Ｂ２）は、通常、ビニル基を有しないものであるのが好ましい。これにより、分岐状オルガノハイドロジェンポリシロキサン（Ｂ２）の分子内において架橋反応が進行するのを的確に防止することができる。
【００５９】
また、分岐状オルガノハイドロジェンポリシロキサン（Ｂ２）としては、下記平均組成式（ｃ）で示されるものが好ましい。
【００６０】
平均組成式（ｃ）
（Ｈａ（Ｒ７）３−ａＳｉＯ１／２）ｍ（ＳｉＯ４／２）ｎ
（式（ｃ）において、Ｒ７は一価の有機基、ａは１〜３の範囲の整数、ｍはＨａ（Ｒ７）３−ａＳｉＯ１／２単位の数、ｎはＳｉＯ４／２単位の数である）
【００６１】
式（ｃ）において、Ｒ７は一価の有機基であり、好ましくは、炭素数１〜１０の置換または非置換のアルキル基、アリール基、またはこれらを組み合わせた炭化水素基である。炭素数１〜１０のアルキル基としては、例えば、メチル基、エチル基、プロピル基等が挙げられ、中でも、メチル基が好ましい。炭素数１〜１０のアリール基としては、例えば、フェニル基が挙げられる。
【００６２】
式（ｃ）において、ａは、ヒドリド基（Ｓｉに直接結合する水素原子）の数であり、１〜３の範囲の整数、好ましくは１である。
【００６３】
また、式（ｃ）において、ｍはＨａ（Ｒ７）３−ａＳｉＯ１／２単位の数、ｎはＳｉＯ４／２単位の数である。
【００６４】
分岐状オルガノハイドロジェンポリシロキサン（Ｂ２）は分岐状構造を有する。直鎖状オルガノハイドロジェンポリシロキサン（Ｂ１）と分岐状オルガノハイドロジェンポリシロキサン（Ｂ２）は、その構造が直鎖状か分岐状かという点で異なり、Ｓｉの数を１とした時のＳｉに結合するアルキル基Ｒの数（Ｒ／Ｓｉ）が、直鎖状オルガノハイドロジェンポリシロキサン（Ｂ１）では１．８〜２．１、分岐状オルガノハイドロジェンポリシロキサン（Ｂ２）では０．８〜１．７の範囲となる。
【００６５】
なお、分岐状オルガノハイドロジェンポリシロキサン（Ｂ２）は、分岐構造を有しているため、例えば、窒素雰囲気下、１０００℃まで昇温速度１０℃／分で加熱した際の残渣量が５％以上となる。これに対して、直鎖状オルガノハイドロジェンポリシロキサン（Ｂ１）は、直鎖状であるため、上記条件で加熱した後の残渣量はほぼゼロとなる。
【００６６】
また、分岐状オルガノハイドロジェンポリシロキサン（Ｂ２）の具体例としては、下記式（３）で表される構造を有するものが挙げられる。
【００６７】
【化４】
2020079413.tif 000006
【００６８】
式（３）中、Ｒ７は炭素数１〜８の置換または非置換のアルキル基、アリール基、またはこれらを組み合わせた炭化水素基、もしくは水素原子である。炭素数１〜８のアルキル基としては、例えば、メチル基、エチル基、プロピル基等が挙げられ、中でも、メチル基が好ましい。炭素数１〜８のアリール基としては、例えば、フェニル基が挙げられる。Ｒ７の置換基としては、例えば、メチル基等が挙げられる。
【００６９】
なお、式（３）中、複数のＲ７は互いに独立したものであり、互いに異なっていてもよいし、同じであってもよい。
【００７０】
また、式（３）中、「−Ｏ−Ｓｉ≡」は、Ｓｉが三次元に広がる分岐構造を有することを表している。
【００７１】
なお、分岐状オルガノハイドロジェンポリシロキサン（Ｂ２）は、１種のみを単独で用いてもよいし、２種以上を組み合わせて用いてもよい。
【００７２】
また、直鎖状オルガノハイドロジェンポリシロキサン（Ｂ１）と分岐状オルガノハイドロジェンポリシロキサン（Ｂ２）において、Ｓｉに直接結合する水素原子（ヒドリド基）の量は、それぞれ、特に限定されない。ただし、シリコーンゴム系硬化性組成物において、ビニル基含有直鎖状オルガノポリシロキサン（Ａ１）中のビニル基１モルに対し、直鎖状オルガノハイドロジェンポリシロキサン（Ｂ１）と分岐状オルガノハイドロジェンポリシロキサン（Ｂ２）の合計のヒドリド基量が、０．５〜５モルとなる量が好ましく、１〜３．５モルとなる量がより好ましい。これにより、直鎖状オルガノハイドロジェンポリシロキサン（Ｂ１）および分岐状オルガノハイドロジェンポリシロキサン（Ｂ２）と、ビニル基含有直鎖状オルガノポリシロキサン（Ａ１）との間で、架橋ネットワークを確実に形成させることができる。
【００７３】
本実施形態において、絶縁性ペースト中におけるエラストマー組成物の含有量は、絶縁性ペースト全体に対して、５質量％以上であることが好ましく、８質量％以上であることがより好ましく、１０質量％以上であることがさらに好ましい。また、絶縁性ペースト中におけるエラストマー組成物の含有量は、絶縁性ペースト全体に対して、５０質量％以下であることが好ましく、４５質量％以下であることがより好ましく、４０質量％以下であることがさらに好ましい。
エラストマー組成物の含有量を上記下限値以上とすることにより、絶縁性ペーストからなるエラストマーが適度な柔軟性を持つことができる。また、エラストマー組成物の含有量を上記上限値以下とすることにより、エラストマーの機械的強度の向上を図ることができる。
【００７４】
＜＜シリカ粒子（Ｃ）＞＞
本実施形態の絶縁性ペーストは、必要に応じ、シリカ粒子（Ｃ）を含むことができる。これにより、絶縁性ペーストから形成されるエラストマーの硬さや機械的強度の向上を図ることができる。また、絶縁性ペーストのエラストマーの絶縁性を高めることができる。
【００７５】
シリカ粒子（Ｃ）としては、特に限定されないが、例えば、ヒュームドシリカ、焼成シリカ、沈降シリカ等が用いられる。これらを単独で用いても２種以上を組み合わせて用いてもよい。
【００７６】
シリカ粒子（Ｃ）は、例えば、ＢＥＴ法による比表面積が例えば５０〜４００ｍ２／ｇであるのが好ましく、１００〜４００ｍ２／ｇであるのがより好ましい。また、シリカ粒子（Ｃ）の平均一次粒径は、例えば１〜１００ｎｍであるのが好ましく、５〜２０ｎｍ程度であるのがより好ましい。
【００７７】
シリカ粒子（Ｃ）として、かかる比表面積および平均粒径の範囲内であるものを用いることにより、形成されるシリコーンゴムの硬さや機械的強度の向上、特に引張強度の向上をさせることができる。
【００７８】
本実施形態において、絶縁性ペースト中におけるシリカ粒子（Ｃ）の含有量は、絶縁性ペースト全体に対して、１質量％以上であることが好ましく、３質量％以上であることがより好ましく、５質量％以上であることがさらに好ましい。また、絶縁性ペースト中におけるシリカ粒子（Ｃ）の含有量は、絶縁性ペースト全体に対して、５０質量％以下であることが好ましく、４５質量％以下であることがより好ましく、４０質量％以下であることがさらに好ましい。
シリカ粒子（Ｃ）の含有量を上記下限値以上とすることにより、絶縁性ペーストのエラストマーが適度な機械的強度を持つことができる。一方、シリカ粒子（Ｃ）の含有量を上記上限値以下とすることにより、エラストマーが適度な伸縮特性を持つことができる。これにより、繰り返し使用時における耐久性を高めることができる。
【００７９】
＜＜シランカップリング剤（Ｄ）＞＞
本実施形態のシリコーンゴム系硬化性組成物は、シランカップリング剤（Ｄ）を含むことができる。
シランカップリング剤（Ｄ）は、加水分解性基を有することができる。加水分解基が水により加水分解されて水酸基になり、この水酸基がシリカ粒子（Ｃ）表面の水酸基と脱水縮合反応することで、シリカ粒子（Ｃ）の表面改質を行うことができる。
【００８０】
また、このシランカップリング剤（Ｄ）は、疎水性基を有するシランカップリング剤を含むことができる。これにより、シリカ粒子（Ｃ）の表面にこの疎水性基が付与されるため、シリコーンゴム系硬化性組成物中ひいてはシリコーンゴム中において、シリカ粒子（Ｃ）の凝集力が低下（シラノール基による水素結合による凝集が少なくなる）し、その結果、シリコーンゴム系硬化性組成物中のシリカ粒子の分散性が向上すると推測される。これにより、シリカ粒子とゴムマトリックスとの界面が増加し、シリカ粒子の補強効果が増大する。さらに、ゴムのマトリックス変形の際、マトリックス内でのシリカ粒子の滑り性が向上すると推測される。そして、シリカ粒子（Ｃ）の分散性の向上及び滑り性の向上によって、シリカ粒子（Ｃ）によるシリコーンゴムの機械的強度（例えば、引張強度や引裂強度など）が向上する。
【００８１】
さらに、シランカップリング剤（Ｄ）は、ビニル基を有するシランカップリング剤を含むことができる。これにより、シリカ粒子（Ｃ）の表面にビニル基が導入される。そのため、シリコーンゴム系硬化性組成物の硬化の際、すなわち、ビニル基含有オルガノポリシロキサン（Ａ）が有するビニル基と、オルガノハイドロジェンポリシロキサン（Ｂ）が有するヒドリド基とがヒドロシリル化反応して、これらによるネットワーク（架橋構造）が形成される際に、シリカ粒子（Ｃ）が有するビニル基も、オルガノハイドロジェンポリシロキサン（Ｂ）が有するヒドリド基とのヒドロシリル化反応に関与するため、ネットワーク中にシリカ粒子（Ｃ）も取り込まれるようになる。これにより、形成されるシリコーンゴムの低硬度化および高モジュラス化を図ることができる。
【００８２】
シランカップリング剤（Ｄ）としては、疎水性基を有するシランカップリング剤およびビニル基を有するシランカップリング剤を併用することができる。
【００８３】
シランカップリング剤（Ｄ）としては、例えば、下記式（４）で表わされるものが挙げられる。
【００８４】
Ｙｎ−Ｓｉ−（Ｘ）４−ｎ・・・（４）
上記式（４）中、ｎは１〜３の整数を表わす。Ｙは、疎水性基、親水性基またはビニル基を有するもののうちのいずれかの官能基を表わし、ｎが１の時は疎水性基であり、ｎが２または３の時はその少なくとも１つが疎水性基である。Ｘは、加水分解性基を表わす。
【００８５】
疎水性基は、炭素数１〜６のアルキル基、アリール基、またはこれらを組み合わせた炭化水素基であり、例えば、メチル基、エチル基、プロピル基、フェニル基等が挙げられ、中でも、特に、メチル基が好ましい。
【００８６】
また、親水性基は、例えば、水酸基、スルホン酸基、カルボキシル基またはカルボニル基等が挙げられ、中でも、特に、水酸基が好ましい。なお、親水性基は、官能基として含まれていてもよいが、シランカップリング剤（Ｄ）に疎水性を付与するという観点からは含まれていないのが好ましい。
【００８７】
さらに、加水分解性基は、メトキシ基、エトキシ基のようなアルコキシ基、クロロ基またはシラザン基等が挙げられ、中でも、シリカ粒子（Ｃ）との反応性が高いことから、シラザン基が好ましい。なお、加水分解性基としてシラザン基を有するものは、その構造上の特性から、上記式（４）中の（Ｙｎ−Ｓｉ−）の構造を２つ有するものとなる。
【００８８】
上記式（４）で表されるシランカップリング剤（Ｄ）の具体例は、例えば、官能基として疎水性基を有するものとして、メチルトリメトキシシラン、ジメチルジメトキシシラン、フェニルトリメトキシシラン、メチルトリエトキシシラン、ジメチルジエトキシシラン、フェニルトリエトキシシラン、ｎ−プロピルトリメトキシシラン、ｎ−プロピルトリエトキシシラン、ヘキシルトリメトキシシラン、ヘキシルトリエトキシシラン、デシルトリメトキシシランのようなアルコキシシラン；メチルトリクロロシラン、ジメチルジクロロシラン、トリメチルクロロシラン、フェニルトリクロロシランのようなクロロシラン；ヘキサメチルジシラザンが挙げられ、官能基としてビニル基を有するものとして、メタクリロキシプロピルトリエトキシシラン、メタクリロキシプロピルトリメトキシシラン、メタクリロキシプロピルメチルジエトキシシラン、メタクリロキシプロピルメチルジメトキシシラン、ビニルトリエトキシシラン、ビニルトリメトキシシラン、ビニルメチルジメトキシシランのようなアルコキシシラン；ビニルトリクロロシラン、ビニルメチルジクロロシランのようなクロロシラン；ジビニルテトラメチルジシラザンが挙げられるが、中でも、上記記載を考慮すると、特に、疎水性基を有するものとしてはヘキサメチルジシラザン、ビニル基を有するものとしてはジビニルテトラメチルジシラザンであるのが好ましい。
【００８９】
本実施形態において、シランカップリング剤（Ｄ）の含有量の下限値は、ビニル基含有オルガノポリシロキサン（Ａ）の合計量１００重量部に対して、１質量％以上であることが好ましく、３質量％以上であることがより好ましく、５質量％以上であることがさらに好ましい。また、シランカップリング剤（Ｄ）の含有量の上限値は、ビニル基含有オルガノポリシロキサン（Ａ）の合計量１００重量部に対して、１００質量％以下であることが好ましく、８０質量％以下であることがより好ましく、４０質量％以下であることがさらに好ましい。
シランカップリング剤（Ｄ）の含有量を上記下限値以上とすることにより、絶縁性ペーストのエラストマーが基板との適度な密着性を持ち、また、シリカ粒子（Ｃ）を用いる場合においては、エラストマー全体としての機械的強度の向上に資することができる。また、シランカップリング剤（Ｄ）の含有量を上記上限値以下とすることにより、エラストマーが適度な機械特性を持つことができる。
【００９０】
＜＜白金または白金化合物（Ｅ）＞＞
本実施形態のシリコーンゴム系硬化性組成物は、白金または白金化合物（Ｅ）を含むことができる。
白金または白金化合物（Ｅ）は、硬化の際の触媒として作用する触媒成分である。白金または白金化合物（Ｅ）の添加量は触媒量である。
【００９１】
白金または白金化合物（Ｅ）としては、公知のものを使用することができ、例えば、白金黒、白金をシリカやカーボンブラック等に担持させたもの、塩化白金酸または塩化白金酸のアルコール溶液、塩化白金酸とオレフィンの錯塩、塩化白金酸とビニルシロキサンとの錯塩等が挙げられる。
【００９２】
なお、白金または白金化合物（Ｅ）は、１種のみを単独で用いてもよいし、２種以上を組み合わせて用いてもよい。
【００９３】
本実施形態において、絶縁性ペースト中における白金または白金化合物（Ｅ）の含有量は、絶縁性ペースト全体に対して、０．０００１質量％以上であることが好ましく、０．０００２質量％以上であることがより好ましく、０．０００３質量％以上であることがさらに好ましい。また、絶縁性ペースト中における白金または白金化合物（Ｅ）の含有量は、絶縁性ペースト全体に対して、１質量％以下であることが好ましく、０．５質量％以下であることがより好ましく、０．１質量％以下であることがさらに好ましい。
白金または白金化合物（Ｅ）の含有量を上記下限値以上とすることにより、絶縁性ペーストが適切な速度で硬化することが可能となる。また、白金または白金化合物（Ｅ）の含有量を上記上限値以下とすることにより、絶縁性ペーストを作製する際のコストの削減に資することができる。
【００９４】
＜＜水（Ｆ）＞＞
また、本実施形態のシリコーンゴム系硬化性組成物には、上記成分（Ａ）〜（Ｅ）以外に、水（Ｆ）が含まれていてもよい。
【００９５】
水（Ｆ）は、シリコーンゴム系硬化性組成物に含まれる各成分を分散させる分散媒として機能するとともに、シリカ粒子（Ｃ）とシランカップリング剤（Ｄ）との反応に寄与する成分である。そのため、シリコーンゴム中において、シリカ粒子（Ｃ）とシランカップリング剤（Ｄ）とを、より確実に互いに連結したものとすることができ、全体として均一な特性を発揮することができる。
【００９６】
さらに、水（Ｆ）を含有する場合、その含有量は、適宜設定することができるが、具体的には、シランカップリング剤（Ｄ）１００重量部に対して、例えば、１０〜１００重量部の範囲であるのが好ましく、３０〜７０重量部の範囲であるのがより好ましい。これにより、シランカップリング剤（Ｄ）とシリカ粒子（Ｃ）との反応をより確実に進行させることができる。
【００９７】
（その他の成分）
さらに、本実施形態のシリコーンゴム系硬化性組成物は、上記（Ａ）〜（Ｆ）成分以外に、他の成分をさらに含むことができる。この他の成分としては、例えば、珪藻土、酸化鉄、酸化亜鉛、酸化チタン、酸化バリウム、酸化マグネシウム、酸化セリウム、炭酸カルシウム、炭酸マグネシウム、炭酸亜鉛、ガラスウール、マイカ等のシリカ粒子（Ｃ）以外の無機充填材、反応阻害剤、分散剤、顔料、染料、帯電防止剤、酸化防止剤、難燃剤、熱伝導性向上剤等の添加剤が挙げられる。
【００９８】
（溶剤）
本実施形態の絶縁性ペーストは、溶剤を含むものである。この溶剤としては、公知の各種溶剤を用いることができるが、例えば、高沸点溶剤を含むことができる。これらを単独で用いても２種以上を組み合わせて用いてもよい。
【００９９】
上記高沸点溶剤の沸点の下限値は、例えば、１００℃以上であり、好ましくは１３０℃以上であり、より好ましくは１５０℃以上である。これにより、支持基板上に絶縁性ペーストを塗布する際、得られる塗布膜の成膜性を向上させることや塗布膜の膜厚バラツキを抑制することができる。一方で、上記高沸点溶剤の沸点の上限値は、特に限定されないが、例えば、３００℃以下でもよく、２９０℃以下でもよく、２８０℃以下でもよい。これにより、配線形成時においての過度の熱履歴を抑制できるので、電子部品や配線へのダメージを抑制できる。また、絶縁性ペーストのエラストマー中の溶剤が十分揮発したものを基板として使用できるため、かかる基板の表面上に導電性ペーストを用いて印刷で形成された配線の形状を良好に維持することができる。
【０１００】
また、本実施形態の溶剤としては、エラストマーの溶解性や沸点の観点から適切に選択できるが、例えば、炭素数５以上２０以下の脂肪族炭化水素、好ましくは炭素数８以上１８以下の脂肪族炭化水素、より好ましくは炭素数１０以上１５以下の脂肪族炭化水素を含むことができる。
【０１０１】
また、本実施形態の溶剤の一例としては、例えば、ペンタン、ヘキサン、シクロヘキサン、ヘプタン、メチルシクロヘキサン、エチルシクロヘキサン、オクタン、デカン、ドデカン、テトラデカンなどの脂肪族炭化水素類；ベンゼン、トルエン、エチルベンゼン、キシレン、メシチレン、トリフルオロメチルベンゼン、ベンゾトリフルオリドなどの芳香族炭化水素類；ジエチルエーテル、ジイソプロピルエーテル、ジブチルエーテル、シクロペンチルメチルエーテル、シクロペンチルエチルエーテル、エチレングリコールジメチルエーテル、エチレングリコールジエチルエーテル、ジエチレングリコールジメチルエーテル、ジエチレングリコールモノブチルエーテル、ジプロピレングリコールジメチルエーテル、ジプロピレングリコールメチル−ｎ−プロピルエーテル、１，４−ジオキサン、１，３−ジオキサン、テトラヒドロフランなどのエーテル類；ジクロロメタン、クロロホルム、１，１−ジクロロエタン、１，２−ジクロロエタン、１，１，１−トリクロロエタン、１，１，２−トリクロロエタンなどのハロアルカン類；Ｎ，Ｎ−ジメチルホルムアミド、Ｎ，Ｎ−ジメチルアセトアミドなどのカルボン酸アミド類；ジメチルスルホキシド、ジエチルスルホキシドなどのスルホキシド類、ジエチルカーボネートなどのエステル類などを例示することができる。これらを単独で用いても２種以上を組み合わせて用いてもよい。
ここで用いられる溶媒は、上記の絶縁性ペースト中の組成成分を均一に溶解ないし分散させることのできる溶剤の中から適宜選択すればよい。
【０１０２】
上記溶剤が、ハンセン溶解度パラメータの極性項（δｐ）の上限値が、例えば、１０ＭＰａ１／２以下であり、好ましくは７ＭＰａ１／２以下であり、より好ましくは５．５ＭＰａ１／２以下である第１溶剤を含むことができる。これにより、絶縁性ペースト中においてシリコーンゴム系硬化性樹脂組成物などのエラストマー組成物の分散性や溶解性を良好なものとすることができる。この第１溶剤の上記極性項（δｐ）の下限値は、特に限定されないが、例えば、０Ｐａ１／２以上でもよい。
【０１０３】
上記第１溶剤におけるハンセン溶解度パラメータの水素結合項（δｈ）の上限値が、例えば、２０ＭＰａ１／２以下であり、好ましくは１０ＭＰａ１／２以下であり、より好ましくは７ＭＰａ１／２以下である。これにより、絶縁性ペースト中において、シリコーンゴム系硬化性樹脂組成物などのエラストマー組成物の分散性や溶解性を良好なものとすることができる。この第１溶剤の上記水素結合項（δｈ）の下限値は、特に限定されないが、例えば、０Ｐａ１／２以上でもよい。
【０１０４】
ハンセンの溶解度パラメータ（ＨＳＰ）は、ある物質が他のある物質にどのくらい溶けるのかという溶解性を表す指標である。ＨＳＰは、溶解性を３次元のベクトルで表す。この３次元ベクトルは、代表的には、分散項（δｄ）、極性項（δｐ）、水素結合項（δｈ）で表すことができる。そしてベクトルが似ているもの同士は、溶解性が高いと判断できる。ベクトルの類似度をハンセン溶解度パラメータの距離（ＨＳＰ距離）で判断することが可能である。
【０１０５】
本明細書で用いている、ハンセン溶解度パラメーター（ＨＳＰ値）は、ＨＳＰｉＰ（Ｈａｎｓｅｎ  Ｓｏｌｕｂｉｌｉｔｙ  Ｐａｒａｍｅｔｅｒｓ  ｉｎ  Ｐｒａｃｔｉｃｅ）というソフトを用いて算出することができる。ここで、ハンセンとアボットが開発したコンピューターソフトウエアＨＳＰｉＰには、ＨＳＰ距離を計算する機能と様々な樹脂と溶剤もしくは非溶剤のハンセンパラメーターを記載したデータベースが含まれている。
各樹脂の純溶剤および良溶剤と貧溶剤の混合溶剤に対する溶解性を調べ、ＨＳＰｉＰソフトにその結果を入力し、Ｄ：分散項、Ｐ：極性項、Ｈ：水素結合項、Ｒ０：溶解球半径を算出する。
【０１０６】
本実施形態の溶剤としては、例えば、エラストマーやエラストマーを構成する構成単位と溶剤との、ＨＳＰ距離、極性項や水素結合項の差分が小さいもの選択することができる。
【０１０７】
室温２５℃においてせん断速度２０〔１／ｓ〕で測定した時の絶縁性ペーストの粘度の下限値は、例えば、１Ｐａ・ｓ以上であり、好ましくは５Ｐａ・ｓ以上であり、より好ましくは１０Ｐａ・ｓ以上である。これにより、成膜性を向上させることができる。また、厚膜形成時においても膜厚バラツキを抑制できる。一方で、室温２５℃における絶縁性ペーストの粘度の上限値は、例えば、１００Ｐａ・ｓ以下であり、好ましくは９０Ｐａ・ｓ以下であり、より好ましくは８０Ｐａ・ｓ以下である。これにより、絶縁性ペーストの塗布容易性を向上させることができる。
【０１０８】
本実施形態における絶縁性ペーストにおいて、室温２５℃において、せん断速度１〔１／ｓ〕で測定した時の粘度をη１とし、せん断速度５〔１／ｓ〕で測定した時の粘度をη５とし、チキソ指数を粘度比（η１／η５）とする。このとき、このチキソ指数の下限値は、例えば、１．０以上であり、好ましくは１．１以上であり、より好ましくは１．２以上である。これにより、絶縁性ペーストのスキージなどによる塗布操作が容易になる。一方で、上記チキソ指数の上限値は、例えば、３．０以下であり、好ましくは２．５以下であり、より好ましくは２．０以下である。これにより、絶縁性ペーストのレベリング性を高めることができる。
【０１０９】
本実施形態の絶縁性ペーストのエラストマー（例えば、絶縁性ペーストの硬化物）の、ＪＩＳ  Ｋ６２５３（１９９７）に準拠して規定されるデュロメータ硬さＡの上限値としては、例えば、７０以下でもよく、好ましくは６８以下でもよく、より好ましくは６５以下でもよい。これにより、絶縁性ペーストのエラストマーにおいて、柔軟性を向上させることができ、屈曲や伸張などの変形が容易となる。絶縁性ペーストのエラストマーのデュロメータ硬さＡの下限値としては、例えば、１０以上であり、好ましくは２０以上であり、より好ましくは３０以上である。このようなエラストマーを下地基板として使用することにより、下地基板表面上における配線形成性を高めることができる。例えば、スクリーン印刷等の印刷で形成された配線の形状や高さのバラツキを抑制することができる。
【０１１０】
本実施形態の絶縁性ペーストのエラストマー（例えば、絶縁性ペーストの硬化物）の、ＪＩＳ  Ｋ６２５１（２００４）に準拠して測定される引張強度の下限値としては、例えば、５．０ＭＰａ以上であり、好ましくは６．０ＭＰａ以上であり、より好ましくは７．０ＭＰａ以上である。これにより、絶縁性ペーストのエラストマーの機械的強度を向上させることができる。また、破断エネルギーを大きくすることができる。このため、繰り返しの変形に耐えられる耐久性に優れたエラストマーを実現することができる。一方で、絶縁性ペーストのエラストマーの引張強度の上限値としては、特に限定されないが、例えば、１５ＭＰａ以下としてもよく、１３ＭＰａ以下としてもよい。これにより、絶縁性ペーストのエラストマーの伸縮性と機械的強度のバランスを図ることができる。
【０１１１】
本実施形態の絶縁性ペーストのエラストマー（例えば、絶縁性ペーストの硬化物）の、ＪＩＳ  Ｋ６２５２（２００１）に準拠して測定される引裂強度の下限値としては、例えば、２５Ｎ／ｍｍ以上であり、好ましくは３０Ｎ／ｍｍ以上であり、より好ましくは３３Ｎ／ｍｍ以上であり、さらに好ましくは３５Ｎ／ｍｍ以上である。これにより、絶縁性ペーストのエラストマーの繰り返し使用時における耐久性や機械的強度を向上させることができる。一方で、絶縁性ペーストのエラストマーの引裂強度の上限値としては、特に限定されないが、例えば、７０Ｎ／ｍｍ以下としてもよく、６０Ｎ／ｍｍ以下としてもよい。これにより、本実施形態の絶縁性ペーストのエラストマーの諸特性のバランスをとることができる。
【０１１２】
本実施形態では、たとえば絶縁性ペースト中に含まれる各成分の種類や配合量、絶縁性ペーストの調製方法等を適切に選択することにより、上記粘度、チキソ指数、硬度、引張強度および引裂強度を制御することが可能である。これらの中でも、たとえば、疎水性の溶剤、炭化水素系溶剤、印刷に適した高沸点の溶剤または極性項や水素結合項が小さい溶剤などの溶剤の種類を適切に選択すること、シリカ粒子（Ｃ）の配合量や配合比率、末端にビニル基を有するビニル基含有オルガノポリシロキサン（Ａ）を使用することにより樹脂の架橋密度や架橋構造の偏在を制御すること、シリカ粒子（Ｃ）のシランカップリング剤（Ｄ）で表面改質すること、水を添加すること等のシランカップリング剤（Ｄ）とシリカ粒子（Ｃ）との反応をより確実に進行させることなどが、上記粘度、チキソ指数、硬度、引張強度および引裂強度を所望の数値範囲とするための要素として挙げられる。
【０１１３】
（絶縁性ペーストの製造方法）
以下、本実施形態に係る絶縁性ペーストの製造方法について説明する。
【０１１４】
本実施形態の絶縁性ペーストは、たとえば、以下に示すような工程を経ることにより製造することができる。
【０１１５】
まず、シリコーンゴム系硬化性組成物の各成分を、任意の混練装置により、均一に混合してシリコーンゴム系硬化性組成物を調製する。
【０１１６】
［１］たとえば、ビニル基含有オルガノポリシロキサン（Ａ）と、シリカ粒子（Ｃ）と、シランカップリング剤（Ｄ）とを所定量秤量し、その後、任意の混練装置により、混練することで、これら各成分（Ａ）、（Ｃ）、（Ｄ）を含有する混練物を得る。
【０１１７】
なお、この混練物は、予めビニル基含有オルガノポリシロキサン（Ａ）とシランカップリング剤（Ｄ）とを混練し、その後、シリカ粒子（Ｃ）を混練（混合）して得るのが好ましい。これにより、ビニル基含有オルガノポリシロキサン（Ａ）中におけるシリカ粒子（Ｃ）の分散性がより向上する。
【０１１８】
また、この混練物を得る際には、水（Ｆ）を必要に応じて、各成分（Ａ）、（Ｃ）、および（Ｄ）の混練物に添加するようにしてもよい。これにより、シランカップリング剤（Ｄ）とシリカ粒子（Ｃ）との反応をより確実に進行させることができる。
【０１１９】
さらに、各成分（Ａ）、（Ｃ）、（Ｄ）の混練は、第１温度で加熱する第１ステップと、第２温度で加熱する第２ステップとを経るようにするのが好ましい。これにより、第１ステップにおいて、シリカ粒子（Ｃ）の表面をカップリング剤（Ｄ）で表面処理することができるとともに、第２ステップにおいて、シリカ粒子（Ｃ）とカップリング剤（Ｄ）との反応で生成した副生成物を混練物中から確実に除去することができる。その後、必要に応じて、得られた混練物に対して、成分（Ａ）を添加し、更に混練してもよい。これにより、混練物の成分のなじみを向上させることができる。
【０１２０】
第１温度は、例えば、４０〜１２０℃程度であるのが好ましく、例えば、６０〜９０℃程度であるのがより好ましい。第２温度は、例えば、１３０〜２１０℃程度であるのが好ましく、例えば、１６０〜１８０℃程度であるのがより好ましい。
【０１２１】
また、第１ステップにおける雰囲気は、窒素雰囲気下のような不活性雰囲気下であるのが好ましく、第２ステップにおける雰囲気は、減圧雰囲気下であるのが好ましい。
【０１２２】
さらに、第１ステップの時間は、例えば、０．３〜１．５時間程度であるのが好ましく、０．５〜１．２時間程度であるのがより好ましい。第２ステップの時間は、例えば、０．７〜３．０時間程度であるのが好ましく、１．０〜２．０時間程度であるのがより好ましい。
【０１２３】
第１ステップおよび第２ステップを、上記のような条件とすることで、前記効果をより顕著に得ることができる。
【０１２４】
［２］次に、オルガノハイドロジェンポリシロキサン（Ｂ）と、白金または白金化合物（Ｅ）とを所定量秤量し、その後、任意の混練装置を用いて、上記工程［１］で調製した混練物に、各成分（Ｂ）、（Ｅ）を混練することで、シリコーンゴム系硬化性組成物（エラストマー組成物）を得る。
【０１２５】
なお、この各成分（Ｂ）、（Ｅ）の混練の際には、予め上記工程［１］で調製した混練物とオルガノハイドロジェンポリシロキサン（Ｂ）とを、上記工程［１］で調製した混練物と白金または白金化合物（Ｅ）とを混練し、その後、それぞれの混練物を混練するのが好ましい。これにより、ビニル基含有オルガノポリシロキサン（Ａ）とオルガノハイドロジェンポリシロキサン（Ｂ）との反応を進行させることなく、各成分（Ａ）〜（Ｅ）をシリコーンゴム系硬化性組成物中に確実に分散させることができる。
【０１２６】
各成分（Ｂ）、（Ｅ）を混練する際の温度は、ロール設定温度として、例えば、１０〜７０℃程度であるのが好ましく、２５〜３０℃程度であるのがより好ましい。
【０１２７】
さらに、混練する時間は、例えば、５分〜１時間程度であるのが好ましく、１０〜４０分程度であるのがより好ましい。
【０１２８】
上記工程［１］および上記工程［２］において、温度を上記範囲内とすることにより、ビニル基含有オルガノポリシロキサン（Ａ）とオルガノハイドロジェンポリシロキサン（Ｂ）との反応の進行をより的確に防止または抑制することができる。また、上記工程［１］および上記工程［２］において、混練時間を上記範囲内とすることにより、各成分（Ａ）〜（Ｅ）をシリコーンゴム系硬化性組成物中により確実に分散させることができる。
【０１２９】
なお、各工程［１］、［２］において使用される混練装置としては、特に限定されないが、例えば、ニーダー、２本ロール、バンバリーミキサー（連続ニーダー）、加圧ニーダー等を用いることができる。
【０１３０】
また、本工程［２］において、混練物中に１−エチニルシクロヘキサノールのような反応抑制剤を添加するようにしてもよい。これにより、混練物の温度が比較的高い温度に設定されたとしても、ビニル基含有オルガノポリシロキサン（Ａ）とオルガノハイドロジェンポリシロキサン（Ｂ）との反応の進行をより的確に防止または抑制することができる。
【０１３１】
［３］次に、工程［２］で得られたエラストマー組成物（シリコーンゴム系硬化性組成物の）を、溶剤に溶解させることにより、本実施形態の絶縁性ペーストを得ることができる。
【０１３２】
［用途］
以下、本実施形態の絶縁性ペーストの用途の一例について、図１を示しながら説明する。図１には、配線を備えた電子装置１００の概略を断面図として図示している。
【０１３３】
電子装置１００は、図１に示すように、配線基板５０と、電子部品６０と、を備えることができる。この配線基板５０は、基板２０上に配線１０を備えることにより構成される。基板２０は、伸縮性を有する絶縁基板を用いることできる。この基板２０は、本実施形態の絶縁性ペーストを硬化させた硬化物で構成することができる。電子部品６０は、このような伸縮性配線基板（配線基板５０）を構成する配線１０に電気的に接続するように構成されていてもよい。
【０１３４】
本実施形態の絶縁性ペーストは、得られる硬化物に対して機械的強度や繰り返し伸縮したときの耐久性を維持することができるため、接続信頼性に優れた電子装置１００の構造を実現することができる。
本実施形態の電子装置１００は、たとえばウェアラブルデバイスとして用いられるものであり、各方向に繰り返し伸縮される装置に好適に用いることができる。
【０１３５】
また、本実施形態の電子装置１００を構成する配線１０は、通常、柔軟性を有する導電性材料により構成される。この導電性材料は、例えば、エラストマー組成物および導電性フィラーを含むことができる。
このエラストマー組成物としては、前述の絶縁性ペーストの材料として例示されたエラストマー組成物と同様のものを採用することができる。具体的には、シリコーンゴム、ウレタンゴム、フッ素ゴム、ニトリルゴム、アクリルゴム、スチレンゴム、クロロプレンゴム、エチレンプロピレンゴム等を形成するために用いられるエラストマー組成物を用いることができ、用途等に応じ、この材料を適宜選択することができる。
【０１３６】
上記配線１０は、上記のシリコーンゴム系硬化性組成物および導電性フィラーを含む導電性ペーストの硬化物で構成されていてもよい。
【０１３７】
上記導電性ペースト中の導電性フィラーとしては、例えば、公知の導電材料を用いてもよいが、以下のような金属粉（Ｇ）を含むことができる。
この金属粉（Ｇ）を構成する金属は特に限定はされないが、例えば、銅、銀、金、ニッケル、錫、鉛、亜鉛、ビスマス、アンチモン、或いはこれらを合金化した金属粉のうち少なくとも一種類、あるいは、これらのうちの二種以上を含むことができる。
これらのうち、金属粉（Ｇ）としては、導電性の高さや入手容易性の高さから、銀または銅を含むこと、すなわち、銀粉または銅粉を含むことが好ましい。なお、これらの金属粉（Ｇ）は他種金属でコートしたものも使用できる。
【０１３８】
本実施形態において、金属粉（Ｇ）の形状には制限がないが、樹枝状、球状、リン片状等の従来から用いられているものが使用できる。
【０１３９】
また、金属粉（Ｇ）の粒径も制限されないが、たとえば平均粒径Ｄ５０で０．００１μｍ以上であることが好ましく、より好ましくは０．０１μｍ以上であり、さらに好ましくは０．１μｍ以上である。金属粉（Ｇ）の粒径は、たとえば平均粒径Ｄ５０で１，０００μｍ以下であることが好ましく、より好ましくは１００μｍ以下であり、さらに好ましくは２０μｍ以下である。
平均粒径Ｄ５０をこのような範囲に設定することで、導電性ペーストの硬化物として適度な導電性を発揮することができる。なお、金属粉（Ｇ）の粒径は、たとえば、導電性ペーストあるいはこの硬化物について透過型電子顕微鏡等で観察の上、画像解析を行い、任意に選んだ金属粉２００個の平均値として定義することができる。
【０１４０】
上記導電性ペースト中における導電性フィラーの含有量は、導電性ペースト全体に対して、３０質量％以上であることが好ましく、４０質量％以上であることがより好ましく、５０質量％以上であることがさらに好ましい。また、導電性ペースト中における導電性フィラーの含有量は、導電性ペース全体に対して、８５質量％以下であることが好ましく、７５質量％以下であることがより好ましく、６５質量％以下であることがさらに好ましい。
金属粉（Ｇ）の含有量を上記下限値以上とすることにより、絶縁性ペーストの硬化物が適度な導電特性を持つことができる。また、金属粉（Ｇ）の含有量を上記上限値以下とすることにより、硬化物が適度な柔軟性を持つことができる。
【０１４１】
また、導電性ペースト中における上記シリカ粒子（Ｃ）の含有量の下限値は、シリカ粒子（Ｃ）および導電性フィラーの合計量１００質量％に対して、例えば、１質量％以上であり、好ましくは３質量％以上であり、より好ましくは５質量％以上とすることができる。これにより、導電性ペーストの硬化物の機械的強度を向上させることができる。一方で、上記導電性ペースト中における上記シリカ粒子（Ｃ）の含有量の上限値は、シリカ粒子（Ｃ）および導電性フィラーの合計量１００質量％に対して、例えば、２０質量％以下であり、好ましくは１５質量％以下であり、より好ましくは１０質量％以下である。これにより、導電性ペーストの硬化物における伸縮電気特性と機械的強度のバランスを図ることができる。
【０１４２】
本実施形態において、導電性ペーストの溶剤としては、上述の溶剤種を用いることができるが、この中でも上記絶縁性ペーストや絶縁性ペーストの硬化物である絶縁性シートに対して溶解性を示す溶剤を用いることができる。具体的な導電性ペーストの溶剤としては、例えば、高沸点溶剤やＨＳＰの極性項（δｐ）や水素結合項（δｈ）が上記上限値以下の溶剤を用いることができる。
【０１４３】
本実施形態の絶縁性ペーストは、上記のような導電性ペーストの硬化物で形成された伸縮配線を備える伸縮性基板を構成する基板や、これら配線間の層間絶縁層に用いることができる。
【０１４４】
また、上記電子部品６０は、用途に応じ、公知の部品の中から適宜選択すればよい。具体的には、半導体素子、及び半導体素子以外の抵抗やコンデンサ等を挙げることができる。半導体素子としては、たとえば、トランジスタや、ダイオード、ＬＥＤ、コンデンサ等を挙げることができる。本実施形態の電子装置１００において、この電子部品６０は配線１０により導通が図られている。
【０１４５】
また、本実施形態の電子装置１００は、必要に応じ、カバー材３０が備えられていてもよい。このカバー材３０を備えることにより、配線１０、電子部品６０が損傷されることを防ぐことができる。カバー材３０は、電子部品６０や、基板２０上の配線１０を覆うように構成されていてもよい。
また、このカバー材３０は、基板２０と同様の材料により構成することができる。このようなカバー材３０が基板２０や配線１０の伸縮に追従することから、電子装置１００全体として、偏りなく伸縮することができ、この電子装置１００の長寿命化にも資することができる。
【０１４６】
次に、本実施形態の電子装置１００の製造工程の一例について図２を用いて説明する。
図２は、本実施形態における電子装置１００の製造工程の概略を示す断面図である。
【０１４７】
まず図２（ａ）に示すように、作業台１１０上に支持体１２０を設置し、その支持体１２０上に絶縁性ペースト１３０を塗工する。塗工方法としては、各種の方法を用いることができるが、例えば、スキージ１４０を用いたスキージ方法などの印刷法を用いることができる。続いて、塗膜状の絶縁性ペースト１３０を乾燥させて、支持体１２０上に絶縁層１３２（乾燥した絶縁性シート）を形成することができる。乾燥条件は、絶縁性ペースト１３０中の溶剤の種類や量に応じて適宜設定することができるが、例えば、乾燥温度を１５０℃〜１８０℃、乾燥時間を１分〜３０分等とすることができる。
【０１４８】
続いて、図２（ｂ）に示すように、絶縁層１３２上に、所定の開口パターン形状を有するマスク１６０を配置する。そして、図２（ｂ）、（ｃ）に示すように、マスク１６０を介して、絶縁層１３２上に導電ペースト１５０を塗工する。塗工方法は、絶縁性ペースト１３０の塗工方法と同様の手法を用いることができ、例えば、スキージ１４０によるスキージ印刷を用いてもよい。ここで、絶縁性ペースト１３０および導電ペースト１５０がそれぞれ熱硬化性エラストマー組成物を含む場合、乾燥した絶縁層１３２上に、所定のパターン形状を有する導電性塗膜（導電層１５２）を積層した後、これらを一括して硬化処理してもよい。硬化処理としては、熱硬化性エラストマー組成物に応じて適宜設定できるが、例えば、硬化温度を１６０℃〜２２０℃、硬化時間を１時間〜３時間等とすることができる。硬化処理後または硬化処理前に、図２（ｄ）に示すように、マスク１６０を取り外すことができる。これにより、絶縁層１３２の硬化物で構成される基板上に、所定のパターン形状を有する、導電層１５２の硬化物である配線を形成することができる。
【０１４９】
続いて、図２（ｅ）に示すように、絶縁層１３２およびパターン状の導電層１５２の上に、さらに絶縁性ペースト１７０を塗工し、図２（ｆ）に示すように絶縁層１７２を形成することができる。これらの工程を適宜、繰り返してもよい。また、絶縁層１３２から支持体１２０を分離することも可能である。
以上により、図２（ｆ）に示す電子装置１００を得ることができる。
【０１５０】
なお、絶縁性ペーストに代えて絶縁性シートを使用する場合、図２（ｂ）に示す工程から開始してもよい。すなわち、支持体１２０上に絶縁性シートを設置し、所定の乾燥を行った後、その絶縁性シート上にマスク１６０を介して導電ペースト１５０を塗布してもよい。以後の工程は、上述の工程に従って行うことができる。これにより、図２（ｆ）に示す電子装置１００を得ることが可能である。
【０１５１】
なお、本発明は前述の実施形態に限定されるものではなく、本発明の目的を達成できる範囲での変形、改良等は本発明に含まれるものである。
【実施例】
【０１５２】
以下、本発明を実施例および比較例により説明するが、本発明はこれらに限定されるものではない。
【０１５３】
実施例および比較例において用いた材料は以下の通りである。
（ビニル基含有オルガノポリシロキサン（Ａ））
（Ａ１−１）：第１のビニル基含有直鎖状オルガノポリシロキサン：ビニル基含有量は０．１３モル％、Ｍｎ＝２２７，７３４、Ｍｗ＝５７３，９０３、ＩＶ値（ｄｌ／ｇ）＝０．８９）、下記の合成スキーム１により合成したビニル基含有ジメチルポリシロキサン（上記式（１−１）で表わされる構造）
（Ａ１−２）：第２のビニル基含有直鎖状オルガノポリシロキサン：ビニル基含有量は０．９２モル％、下記の合成スキーム２により合成したビニル基含有ジメチルポリシロキサン（上記式（１−１）で表わされる構造でＲ１およびＲ２がビニル基である構造）
【０１５４】
（オルガノハイドロジェンポリシロキサン（Ｂ））
（Ｂ１）：オルガノハイドロジェンポリシロキサン：モメンティブ社製、「８８４６６」
【０１５５】
（シリカ粒子（Ｃ））
（Ｃ１）：シリカ微粒子（粒径７ｎｍ、比表面積３００ｍ２／ｇ）、日本アエロジル社製、「ＡＥＲＯＳＩＬ３００」
【０１５６】
（シランカップリング剤（Ｄ））
（Ｄ１）：ヘキサメチルジシラザン（ＨＭＤＺ）、Ｇｅｌｅｓｔ社製、「ＨＥＸＡＭＥＴＨＹＬＤＩＳＩＬＡＺＡＮＥ（ＳＩＨ６１１０．１）」
【０１５７】
（白金または白金化合物（Ｅ））
（Ｅ１）：白金化合物、ＰＬＡＴＩＮＵＭ  ＤＩＶＩＮＹＬＴＥＴＲＡＭＥＴＨＹＬＤＩＳＩＬＯＸＡＮＥ  ＣＯＭＰＬＥＸ（ｉｎ  ｘｙｌｅｎｅ）  （Ｇｅｌｅｓｔ社製、商品名「ＳＩＰ６８３１．２」）
【０１５８】
（水（Ｆ））
（Ｆ１）：純水
【０１５９】
（添加剤）
（反応阻害剤１）：１−エチニル−１−シクロヘキサノール（東京化成社製）
【０１６０】
（ビニル基含有オルガノポリシロキサン（Ａ）の合成）
［合成スキーム１：第１のビニル基含有直鎖状オルガノポリシロキサン（Ａ１−１）の合成］
下記式（７）にしたがって、第１のビニル基含有直鎖状オルガノポリシロキサン（Ａ１−１）を合成した。
すなわち、Ａｒガス置換した、冷却管および攪拌翼を有する３００ｍＬセパラブルフラスコに、オクタメチルシクロテトラシロキサン７４．７ｇ（２５２ｍｍｏｌ）、カリウムシリコネート０．１ｇを入れ、昇温し、１２０℃で３０分間攪拌した。なお、この際、粘度の上昇が確認できた。
その後、１５５℃まで昇温し、３時間攪拌を続けた。そして、３時間後、１，３−ジビニルテトラメチルジシロキサン０．１ｇ（０．６ｍｍｏｌ）を添加し、さらに、１５５℃で４時間攪拌した。
さらに、４時間後、トルエン２５０ｍＬで希釈した後、水で３回洗浄した。洗浄後の有機層をメタノール１．５Ｌで数回洗浄することで、再沈精製し、オリゴマーとポリマーを分離した。得られたポリマーを６０℃で一晩減圧乾燥し、第１のビニル基含有直鎖状オルガノポリシロキサン（Ａ１−１）を得た（Ｍｗ＝５７３，９０３、Ｍｎ＝２２７，７３４）。また、Ｈ−ＮＭＲスペクトル測定により算出したビニル基含有量は０．１３モル％であった。
【０１６１】
【化５】
2020079413.tif 000007
【０１６２】
［合成スキーム２：第２のビニル基含有直鎖状オルガノポリシロキサン（Ａ１−２）の合成］
上記（Ａ１−１）の合成工程において、オクタメチルシクロテトラシロキサン７４．７ｇ（２５２ｍｍｏｌ）に加えて２，４，６，８−テトラメチル２，４，６，８−テトラビニルシクロテトラシロキサン０．８６ｇ（２．５ｍｍｏｌ）を用いたこと以外は、（Ａ１−１）の合成工程と同様にすることで、下記式のように、第２のビニル基含有直鎖状オルガノポリシロキサン（Ａ１−２）を合成した。また、Ｈ−ＮＭＲスペクトル測定により算出したビニル基含有量は０．９２モル％であった。
【化６】
2020079413.tif 000008
【０１６３】
［絶縁性ペーストの作製］
（シリコーンゴム系硬化性組成物１〜３の調製）
次のようにしてシリコーンゴム系硬化性組成物１〜３を調整した。まず、下記の表１に示す割合で、９０％のビニル基含有オルガノポリシロキサン（Ａ）、シランカップリング剤（Ｄ）および水（Ｆ）の混合物を予め混練し、その後、混合物にシリカ粒子（Ｃ）を加えてさらに混練し、混練物（シリコーンゴムコンパウンド）を得た。
ここで、シリカ粒子（Ｃ）添加後の混練は、カップリング反応のために窒素雰囲気下、６０〜９０℃の条件下で１時間混練する第１ステップと、副生成物（アンモニア）の除去のために減圧雰囲気下、１６０〜１８０℃の条件下で２時間混練する第２ステップとを経ることで行い、その後、冷却し、残り１０％のビニル基含有オルガノポリシロキサン（Ａ）を２回に分けて添加し、２０分間混練した。
続いて、下記の表１に示す割合で、得られた混練物（シリコーンゴムコンパウンド）１００重量部に、オルガノハイドロジェンポリシロキサン（Ｂ）、白金または白金化合物（Ｅ）および反応阻害剤を加えて、ロールで混練し、シリコーンゴム系硬化性組成物１〜３（エラストマー組成物１〜３）を得た。
【０１６４】
【表１】
2020079413.tif 000009
【０１６５】
（エラストマー組成物４）
エラストマー組成物４として、東レ・ダウコーニング社製の商品名「Ｃ６−１３５  ＥＬＡＳＴＯＭＥＲ（シリカ粒子を含む）」を用いた。
【０１６６】
（エラストマー組成物５）
ウレタンジアクリレート（東亞合成社製、商品名「アロニックスＭ−１２００」）９．２ｇと、シランカップリング剤（ヘキサメチルジシラザン（Ｇｅｌｅｓｔ社製））０．９ｇで表面処理を施した、シリカ粒子（日本アエロジル社製、商品名「ＡＥＲＯＳＩＬ３００」）３．５ｇと、有機過酸化物開始剤（日本油脂社製、商品名「パーヘキサ３Ｍ」）０．１ｇを混合し、エラストマー組成物５を得た。
【０１６７】
＜実施例１：絶縁性ペースト１＞
得られた３２重量部のシリコーンゴム系硬化性組成物１（エラストマー組成物１）を、６８重量部のテトラデカンに浸漬し、続いて自転・公転ミキサーで撹拌し、液状の絶縁性ペースト１を得た。
【０１６８】
＜実施例２：絶縁性ペースト２＞
得られた３２重量部のシリコーンゴム系硬化性組成物２（エラストマー組成物２）を、６８重量部のデカンに浸漬し、続いて自転・公転ミキサーで撹拌し、液状の絶縁性ペースト２を得た。
【０１６９】
＜実施例３：絶縁性ペースト３＞
得られた３２重量部のシリコーンゴム系硬化性組成物１（エラストマー組成物１）を、６８重量部のトルエンに浸漬し、続いて自転・公転ミキサーで撹拌し、液状の絶縁性ペースト３を得た。
【０１７０】
＜実施例４：絶縁性ペースト４＞
得られた３２重量部のエラストマー組成物４（７．０重量部のシリカ粒子を含む）を、６８重量部のデカンに浸漬し、続いて自転・公転ミキサーで撹拌し、液状の絶縁性ペースト４を得た。
【０１７１】
＜実施例５：絶縁性ペースト５＞
得られた３２重量部のエラストマー組成物５を、６８重量部のトルエンに浸漬し、続いて自転・公転ミキサーで撹拌し、液状の絶縁性ペースト５を得た。
【０１７２】
＜実施例６：絶縁性ペースト６＞
得られた３２重量部のエラストマー組成物１を、６８重量部のメシチレンに浸漬し、続いて自転・公転ミキサーで撹拌し、液状の絶縁性ペースト６を得た。
【０１７３】
＜実施例７：絶縁性ペースト７＞
得られた３２重量部のエラストマー組成物２を、６８重量部のジプロピレングリコールジメチルエーテルに浸漬し、続いて自転・公転ミキサーで撹拌し、液状の絶縁性ペースト７を得た。
【０１７４】
＜実施例８：絶縁性ペースト８＞
得られた３２重量部のエラストマー組成物１を、６８重量部のジエチルカーボネートに浸漬し、続いて自転・公転ミキサーで撹拌し、液状の絶縁性ペースト８を得た。
【０１７５】
＜実施例９：絶縁性ペースト９＞
得られた２０重量部のエラストマー組成物１を、８０重量部のテトラデカンに浸漬し、続いて自転・公転ミキサーで撹拌し、液状の絶縁性ペースト９を得た。
【０１７６】
＜実施例１０：絶縁性ペースト１０＞
得られた４０重量部のエラストマー組成物２を、６０重量部のデカンに浸漬し、続いて自転・公転ミキサーで撹拌し、液状の絶縁性ペースト１０を得た。
【０１７７】
＜比較例１：エラストマー組成物＞
得られた１００重量部のエラストマー組成物１（２５．６重量部のシリカ粒子（Ｃ）を含む）を、溶剤に浸漬せずに、比較例１サンプルとしてそのまま使用した。
【０１７８】
＜比較例２：絶縁性ペースト１１＞
得られた３２重量部のエラストマー組成物３（シリカ粒子（Ｃ）を含まない）を、６８重量部のテトラデカンに浸漬し、続いて自転・公転ミキサーで撹拌し、液状の絶縁性ペースト１１を得た。
【０１７９】
【表２】
2020079413.tif 000010
【０１８０】
表２中の溶剤のハンセンの溶解度パラメータ（ＨＳＰ）において、テトラデカンの分散項（δｄ）：１５．８ＭＰａ１／２、極性項（δｐ）：０ＭＰａ１／２、水素結合項（δｈ）：０ＭＰａ１／２であり、デカンの分散項（δｄ）：１５．７ＭＰａ１／２、極性項（δｐ）：０ＭＰａ１／２、水素結合項（δｈ）：０ＭＰａ１／２であり、トルエンの分散項（δｄ）：１７．８ＭＰａ１／２、極性項（δｐ）：３．０ＭＰａ１／２、水素結合項（δｈ）：０ＭＰａ１／２であり、メシチレンの分散項（δｄ）：１８．０ＭＰａ１／２、極性項（δｐ）：０．６ＭＰａ１／２、水素結合項（δｈ）：０．６ＭＰａ１／２であり、ジプロピレングリコールジメチルエーテルの分散項（δｄ）：１５．１ＭＰａ１／２、極性項（δｐ）：６．３ＭＰａ１／２、水素結合項（δｈ）：４．９ＭＰａ１／２であり、ジエチルカーボネートの分散項（δｄ）：１５．７ＭＰａ１／２、極性項（δｐ）：５．１ＭＰａ１／２、水素結合項（δｈ）：３．５ＭＰａ１／２であった。また、テトラデカンの沸点は２５３℃であり、デカンの沸点は１７４℃であり、トルエンの沸点は１１１℃であり、メシチレンの沸点は１６５℃であり、ジプロピレングリコールジメチルエーテルの沸点は１７５℃であり、ジエチルカーボネートの沸点は１２６℃であった。
また、表２中の比較例１の「−」は、比較例１サンプルに対して塗布操作を行うことができなかったため、各評価項目が測定できなかったことを示す。したがって、比較例１サンプルは、ペーストとして使用できず、塗布性（成膜性）が不良と判断した。
【０１８１】
［絶縁性ペーストの評価］
得られた絶縁性ペースト１〜１１、比較例１サンプルについては、以下の項目に従い評価を行った。
引張強度、については、３つのサンプルで行い、３つの平均値を測定値とした。また、引裂強度については、５つのサンプルで行い、５つの平均値を測定値とした。さらに、硬度については、２つのサンプルを用いて、各サンプルでｎ＝５で測定を行い１０測定の平均値を測定値とした。それぞれに対して、その平均値を表２に示す。
【０１８２】
＜シート状エラストマーの作製＞
得られた絶縁性ペースト１〜１１、比較例１サンプルについて、バーコーターを用いて、離型処理を施したアルミ箔上に１００×１００ｍｍサイズに塗布し、１７０℃、１２０分で硬化させた後に、アルミ箔から剥がし、各評価で使用するシート状エラストマーを準備した。
【０１８３】
＜粘度＞
得られた絶縁性ペーストについて、東機産業社製のＴＰＥ−１００Ｈを用いて、室温２５℃における、せん断速度２０〔１／ｓ〕での粘度を、絶縁性ペーストの作製直後に測定した。粘度の単位はＰａ・ｓである。
＜チキソ指数＞
得られた絶縁性ペーストについて、東機産業社製のＴＰＥ−１００Ｈを用いて、室温２５℃における、せん断速度１〔１／ｓ〕で測定した時の粘度をη１、せん断速度５〔１／ｓ〕で測定した時の粘度をη５とし、それぞれの粘度を、絶縁性ペースト作製直後に測定した。粘度の単位はＰａ・ｓである。チキソ指数を粘度比（η１／η５）として求めた。
【０１８４】
＜引張強度＞
得られた厚さ１ｍｍの、各実施例および比較例のシート状エラストマーを用いて、ＪＩＳ  Ｋ６２５１（２００４）に準拠して、ダンベル状３号形試験片を作製し、得られたダンベル状３号形試験片の室温２５℃における引張強度を測定した。単位は、ＭＰａである。
【０１８５】
＜引裂強度＞
得られた厚さ１ｍｍの、各実施例および比較例のシート状エラストマーを用いて、ＪＩＳ  Ｋ６２５２（２００１）に準拠して、クレセント形試験片を作製し、得られたクレセント形試験片の室温２５℃における引裂強度を測定した。単位は、Ｎ／ｍｍである。
【０１８６】
＜硬度：デュロメータ硬さＡ＞
得られた厚さ１ｍｍの、各実施例および比較例のシート状エラストマーを６枚積層し、６ｍｍの試験片を作製した。得られた試験片に対して、ＪＩＳ  Ｋ６２５３（１９９７）に準拠して室温２５℃におけるタイプＡデュロメータ硬さを測定した。
【０１８７】
＜成膜性評価＞
実施例および比較例のそれぞれの絶縁性ペーストについて、バーコーターを用いて、ガラス基板上に１００×１００ｍｍサイズに塗布し、１７０℃、１２０分で硬化後の厚みが１００μｍ程度の範囲に入るように成膜した。得られた塗膜の中心および４隅で厚み測定を実施し、ばらつき（膜厚最大値−膜厚最小値）を評価し、ばらつきが１０μｍ以内を◎、２０μｍ以内を○、２０μｍより大きいものを×とした。結果を、表２に示す。
【０１８８】
＜伸長耐久性＞
得られた１ｍｍのシート状エラストマーを用いて、ＪＩＳ  Ｋ６２５１（２００４）に準拠して、ダンベル状３号形試験片を作製した。
次に、以下の引張り繰り返し試験を行った。結果を、表２に示す。
得られたダンベル状３号形試験片を５００％まで伸張する伸張操作を実施した際、５００％伸長可能なものを◎、２００％伸長可能なものを○、伸長２００％以下のものを×とした。
試験機：オートグラフＡＧ５ｋＮＸ（株式会社島津製作所製、「型番ＡＧ−５ｋＮＸ」）
・初期値：６０ｍｍ（チャック間距離）、０％伸長率
・伸長時：３６０ｍｍ（チャック間距離）、５００％伸長率
・伸張速度：最大速度１，０００ｍｍ／ｍｉｎ
【０１８９】
各実施例１〜１０で得られた絶縁性ペーストは、比較例１と比べて塗布性（成膜性）に優れており、また、比較例２と比べて、伸張耐久性に優れており、さらには引張強度や引裂強度等の機械的強度に優れた絶縁性樹脂膜が得られることが分かった。このような実施例１〜１０の絶縁性ペーストは、伸縮性基板の形成に適することが分かった。
【符号の説明】
【０１９０】
１０  配線
２０  基板
３０  カバー材
５０  配線基板
６０  電子部品
１００  電子装置
１１０  作業台
１２０  支持体
１３０  絶縁性ペースト
１３２  絶縁層
１４０  スキージ
１５０  導電ペースト
１５２  導電層
１６０  マスク
１７０  絶縁性ペースト
１７２  絶縁層
【図１】
2020079413.tif 000011
【図２】
2020079413.tif 000012
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
ビニル基を有するシランカップリング剤で表面処理したシリカ粒子（Ｃ）を含むシリコーンゴム系硬化性組成物を含有する、エラストマー組成物と、
溶剤と、を含む、絶縁性ペーストであって、
室温２５℃における、当該絶縁性ペーストの粘度が、１Ｐａ・ｓ以上１００Ｐａ・ｓ以下である、
絶縁性ペースト。
【請求項２】
請求項１に記載の絶縁性ペーストであって、
前記シリカ粒子（Ｃ）の比表面積が、３００ｍ２／ｇである、絶縁性ペースト。
【請求項３】
請求項１又は２に記載の絶縁性ペーストであって、
前記シリコーンゴム系硬化性組成物が、ビニル基含有直鎖状オルガノポリシロキサン（Ａ１）を２種以上含む、絶縁性ペースト。
【請求項４】
請求項１〜３のいずれか１項に記載の絶縁性ペーストであって、
前記シリコーンゴム系硬化性組成物が、ビニル基含有量が０．０１〜１２モル％であるビニル基含有直鎖状オルガノポリシロキサン（Ａ１）を含む、絶縁性ペースト。
【請求項５】
請求項３または４に記載の絶縁性ペーストであって、
前記ビニル基含有直鎖状オルガノポリシロキサン（Ａ１）は、ビニル基含有量が０．４モル％以下である第１のビニル基含有直鎖状オルガノポリシロキサン（Ａ１−１）と、ビニル基含有量が０．５〜１５モル％である第２のビニル基含有直鎖状オルガノポリシロキサン（Ａ１−２）とを含有する、絶縁性ペースト。
【請求項６】
請求項１〜５のいずれか１項に記載の絶縁性ペーストであって、
疎水性基を有するシランカップリング剤で表面処理した前記シリカ粒子（Ｃ）を含む、絶縁性ペースト。
【請求項７】
請求項１から６のいずれか１項に記載の絶縁性ペーストであって、
前記溶剤が、沸点が１００℃以上３００℃以下である高沸点溶剤を含む、絶縁性ペースト。
【請求項８】
請求項１から７のいずれか１項に記載の絶縁性ペーストであって、
前記溶剤が、炭素数５以上２０以下の脂肪族炭化水素を含む、絶縁性ペースト。
【請求項９】
請求項１から８のいずれか１項に記載の絶縁性ペーストであって、
前記溶剤が、ハンセン溶解度パラメータの極性項（δｐ）が１０ＭＰａ１／２以下である第１溶剤を含む、絶縁性ペースト。
【請求項１０】
請求項１から９のいずれか１項に記載の絶縁性ペーストであって、
室温２５℃における当該絶縁性ペーストについて、せん断速度１〔１／ｓ〕で測定した時の粘度をη１とし、せん断速度５〔１／ｓ〕で測定した時の粘度をη５としたとき、粘度比（η１／η５）であるチキソ指数が、１．０以上３．０以下である、絶縁性ペースト。
【請求項１１】
請求項１から１０のいずれか１項に記載の絶縁性ペーストであって、
前記シリカ粒子（Ｃ）の含有量が、当該絶縁性ペースト全体に対して、１質量％以上５０質量％以下である、絶縁性ペースト。
【請求項１２】
請求項１から１１のいずれか１項に記載の絶縁性ペーストであって、
前記シリコーンゴム系硬化性組成物が、オルガノハイドロジェンポリシロキサン（Ｂ）をさらに含む、絶縁性ペースト。
【請求項１３】
請求項１から１２のいずれか１項に記載の絶縁性ペーストであって、
前記シリコーンゴム系硬化性組成物が、白金または白金化合物（Ｅ）をさらに含む、絶縁性ペースト。
【請求項１４】
請求項１から１３のいずれか１項に記載の絶縁性ペーストであって、
前記エラストマー組成物の含有量が、当該絶縁性ペースト全体に対して、５質量％以上５０質量％以下である、絶縁性ペースト。
【請求項１５】
請求項１から１４のいずれか１項に記載の絶縁性ペーストであって、
当該絶縁性ペーストからなるエラストマーの、ＪＩＳ  Ｋ６２５３（１９９７）に準拠して規定されるデュロメータ硬さＡが、１０以上７０以下である、絶縁性ペースト。
【請求項１６】
請求項１から１５のいずれか１項に記載の絶縁性ペーストであって、
当該絶縁性ペーストからなるエラストマーの、ＪＩＳ  Ｋ６２５１（２００４）に準拠して測定される引張強度が、５．０ＭＰａ以上１５ＭＰａ以下である、絶縁性ペースト。
【請求項１７】
請求項１から１６のいずれか１項に記載の絶縁性ペーストであって、
当該絶縁性ペーストからなるエラストマーの、ＪＩＳ  Ｋ６２５２（２００１）に準拠して測定される引裂強度が、２５Ｎ／ｍｍ以上である、絶縁性ペースト。
【手続補正２】
【補正対象書類名】明細書
【補正対象項目名】０００６
【補正方法】変更
【補正の内容】
【０００６】
本発明によれば、
ビニル基を有するシランカップリング剤で表面処理したシリカ粒子（Ｃ）を含むシリコーンゴム系硬化性組成物を含有する、エラストマー組成物と、
溶剤と、を含む、絶縁性ペーストであって、
室温２５℃における、当該絶縁性ペーストの粘度が、１Ｐａ・ｓ以上１００Ｐａ・ｓ以下である、
絶縁性ペーストが提供される。
【手続補正３】
【補正対象書類名】明細書
【補正対象項目名】０１５１
【補正方法】変更
【補正の内容】
【０１５１】
なお、本発明は前述の実施形態に限定されるものではなく、本発明の目的を達成できる範囲での変形、改良等は本発明に含まれるものである。
以下、参考形態の例を付記する。
１．  シリカ粒子（Ｃ）を含有するエラストマー組成物と、
溶剤と、を含む、絶縁性ペースト。
２．  １．に記載の絶縁性ペーストであって、
前記エラストマー組成物が、シリコーンゴム、ウレタンゴム、フッ素ゴムからなる群から選択される一種以上のエラストマーを形成するための熱硬化性エラストマー組成物を含む、絶縁性ペースト。
３．  １．または２．に記載の絶縁性ペーストであって、
伸縮性配線基板を構成する基板を形成するために用いられる、絶縁性ペースト。
４．  １．から３．のいずれか１つに記載の絶縁性ペーストであって、
前記溶剤が、沸点が１００℃以上３００℃以下である高沸点溶剤を含む、絶縁性ペースト。
５．  １．から４．のいずれか１つに記載の絶縁性ペーストであって、
前記溶剤が、炭素数５以上２０以下の脂肪族炭化水素を含む、絶縁性ペースト。
６．  １．から５．のいずれか１つに記載の絶縁性ペーストであって、
前記溶剤が、ハンセン溶解度パラメータの極性項（δｐ）が１０ＭＰａ１／２以下である第１溶剤を含む、絶縁性ペースト。
７．  １．から６．のいずれか１つに記載の絶縁性ペーストであって、
室温２５℃における、当該絶縁性ペーストの粘度が、１Ｐａ・ｓ以上１００Ｐａ・ｓ以下である、絶縁性ペースト。
８．  １．から７．のいずれか１つに記載の絶縁性ペーストであって、
室温２５℃における当該絶縁性ペーストについて、せん断速度１〔１／ｓ〕で測定した時の粘度をη１とし、せん断速度５〔１／ｓ〕で測定した時の粘度をη５としたとき、粘度比（η１／η５）であるチキソ指数が、１．０以上３．０以下である、絶縁性ペースト。
９．  １．から８．のいずれか１つに記載の絶縁性ペーストであって、
前記シリカ粒子（Ｃ）の含有量が、当該絶縁性ペースト全体に対して、１質量％以上５０質量％以下である、絶縁性ペースト。
１０．  １．から９．のいずれか１つに記載の絶縁性ペーストであって、
前記エラストマー組成物が、シリコーンゴム系硬化性組成物を含む、絶縁性ペースト。
１１．  １０．に記載の絶縁性ペーストであって、
前記シリコーンゴム系硬化性組成物が、ビニル基含有オルガノポリシロキサン（Ａ）を含む、絶縁性ペースト。
１２．  １０．または１１．に記載の絶縁性ペーストであって、
前記シリコーンゴム系硬化性組成物が、オルガノハイドロジェンポリシロキサン（Ｂ）をさらに含む、絶縁性ペースト。
１３．  １０．から１２．のいずれか１つに記載の絶縁性ペーストであって、
前記シリコーンゴム系硬化性組成物が、白金または白金化合物（Ｅ）をさらに含む、絶縁性ペースト。
１４．  １．から１３．のいずれか１つに記載の絶縁性ペーストであって、
前記エラストマー組成物の含有量が、当該絶縁性ペースト全体に対して、５質量％以上５０質量％以下である、絶縁性ペースト。
１５．  １．から１４．のいずれか１つに記載の絶縁性ペーストであって、
当該絶縁性ペーストからなるエラストマーの、ＪＩＳ  Ｋ６２５３（１９９７）に準拠して規定されるデュロメータ硬さＡが、１０以上７０以下である、絶縁性ペースト。
１６．  １．から１５．のいずれか１つに記載の絶縁性ペーストであって、
当該絶縁性ペーストからなるエラストマーの、ＪＩＳ  Ｋ６２５１（２００４）に準拠して測定される引張強度が、５．０ＭＰａ以上１５ＭＰａ以下である、絶縁性ペースト。
１７．  １．から１６．のいずれか１つに記載の絶縁性ペーストであって、
当該絶縁性ペーストからなるエラストマーの、ＪＩＳ  Ｋ６２５２（２００１）に準拠して測定される引裂強度が、２５Ｎ／ｍｍ以上である、絶縁性ペースト。